(57)【要約】      （修正有）【課題】構成が簡単で部品が少なく、現場据付作業が快速便利で、専用工具はいらなく雄継手と雌継手との相互嵌め込み接続にねじ止め接続をプラスする方法で、高いつなぎ強度と良い安全性を持つ屏風用ナックルジョイントを提供する。【解決手段】二つのめす継手１．３はそれぞれワンセットの内接噛合部を備える。上記雄継手２は両頭雄継手であり、その両側にそれぞれ外側フランジを設置し、且つその片側に内凹みも設置する。雄継手の両側の外側フランジは二つの雌継手の内接噛合部に組み合わせてつながる。本屏風用ナックルジョイントは押え板型の継手４も備える。上記押え板継手はその一端にキャッチ４１を設置する。そのキャッチは内接噛合部の凹み溝と雄継手の内凹みから形成した空間５に嵌め込むことができる。【選択図】図１
0003125228.tif 000002
【実用新案登録請求の範囲】
【請求項１】
雌継手（１）と、雌継手（３）と、雄継手（２）とを備え、雄継手（２）は、雌継手（１）と、雌継手（３）との間に嵌め込むことが可能であり、
上記雌継手（１）、及び雌継手（３）はそれぞれ、内接噛合部（１１）、内接噛合部（３１）を備え、上記雄継手（２）は両頭雄継手であると共に、その両側にはそれぞれ、外側フランジ（２１）、及び外側フランジ（２２）を備え、且つその片側には内凹み（２３）を備え、
雄継手（２）の外側フランジ（２１）は、雌継手（１）の内接噛合部（１１）に組み合わせてつなぎ、雄継手（２）の外側フランジ（２２）は、雌継手の内接噛合部（３１）に組み合わせてつなぐことを特徴とする屏風用ナックルジョイント。
【請求項２】
押え板継手（４）を備え、当該押え板継手（４）の一端には継手キャッチ（４１）を備え、雄キャッチ（４１）は空間部（５）の中に嵌め込むことが可能であり、空間部（５）は内接噛合部（１１）の凹み溝と、雄継手（２）の内凹み（２３）とから形成することを特徴とする請求項１記載の屏風用ナックルジョイント。
【請求項３】
雄継手（２）にはねじ穴（２４）を備え、雌継手（１）、及び雌継手（３）には、それぞれ上記ねじ穴（２４）に対応させることが可能であるねじ穴（１３）、及びねじ穴（３３）を備えることを特徴とする請求項１または請求項２記載の屏風用ナックルジョイント。
【請求項４】
押え板継手（４）のもう一端にねじ穴（４２）を備え、雌継手（１）、及び雌継手（３）の端にはそれぞれのねじ穴（１２）、及びねじ穴（３２）を備え、継手キャッチを（４１）を空間部（５）の中に挿入する際、ねじ穴（４２）と、ねじ穴（３２）とを一致させることを特徴とする請求項２記載のナックルジョイント。
【請求項５】
前記雌継手（１）、及び雌継手（３）の両側にそれぞれ延長部を備え、当該延長部には、それぞれねじ穴（１４）、及びねじ穴（３４）を備え、雌継手（１）、及び雌継手（３）は、ねじ穴（１４）、及びねじ穴（３４）を介して、ねじで屏風とつなぎ、屏風の立ポスト型材の中空部に配置されることを特徴とする請求項１記載の屏風用ナックルジョイント。
【考案の詳細な説明】
【技術分野】
【０００１】
本考案は、生活用品の技術分野に属し、生活事務現場のスペースを隔てるための屏風のナックルジョイントに関するものである。
【背景技術】
【０００２】
現在、市販されている屏風用ナックルジョイントモードには、上下嵌め込み接続方式や雄雌嵌め込み接続方式等の接続方式がある。
【考案の開示】
【考案が解決しようとする課題】
【０００３】
上下嵌め込み接続方式は、その接続形式によって、一直線接続形、９０度回転接続形、Ｔ型接続形、クロス接続形に分類される。加えて、これらの接続形式には、等高接続、非等高接続という区別も存在する。
【０００４】
また、雄雌嵌め込み接続方式は、嵌め込みの方向別に、雄嵌め方向、雌嵌め方向に区分され、さらにその中で「左雄右雌」、「右雄左雌」、「両側雄」、「両側雌」と四つのタイプが分類される。
【０００５】
従って、屏風を実際に使用する場合において、その接続方式には、数多くの組み合わせが存在し、それに伴い、屏風用ナックルジョイントも各接続方式によって異なるものが使用されることになる。
【０００６】
これによって、屏風の製造、及び据付けのための屏風用ジョイント部品が多くなり、それに伴い、製造前期段階における型数量が増加するため、投資額が増大するという問題がある。
【０００７】
また、それ以外にも、据付け中、設計図に基づいて、その対応部品を探す必要があるが、諸部品の数量計算が複雑であるため、使用部品に誤りが出やすいこと。さらには、据付けのため、作業専任者、専用工具（例えば各種類のねじ、コムづち、その他の工具等）、各締め付け具が必要となるため、仕事量が増大すること等、様々な問題点がある。
【０００８】
本考案の目的は、構成が簡単、且つ据付け作業が快速便利であり、安全に使用できる丈夫な屏風用ナックルジョイントを提供することにある。
【課題を解決するための手段】
【０００９】
上記の目的を達成するため、本考案は二つの雌継手と一つの雄継手とを備え、且つ雄継手は、両雌継手の間に組み合わせてつなぐ屏風用ナックルジョイントを提供する。当該ナックルジョイントは下記の特徴を持つ。
【００１０】
上記の二つの雌継手はそれぞれ、ワンセットの内接噛合部を備え、上記雄継手は、両頭雄継手であると共に、その両側にはそれぞれ、外側フランジを備え、且つその片側には内凹みを備える。
【００１１】
雄継手の両側の外側フランジは、二つの雌継手の内接噛合部に組み合わせてつながる。
【００１２】
上記の技術案の改善案として、本考案のナックルジョイントは押え板型の継手を備え、当該押え板継手は、その一端に継手キャッチを備え、その継手キャッチは内接噛合部の凹み溝と、雄継手の内凹みとから形成した空間部に嵌め込むことが可能である。
【００１３】
上記の技術案の改善案として、上記雄継手にはねじ穴を備え、二つの雌継手には、それぞれ雄継手のねじ穴に対応させることが可能である雌継手ねじ穴を備える。また、上記雄継手ねじ穴と雌継手ねじ穴にねじを挿入し、雌継手と雄継手をねじ締めにてつなぐことが可能である。
【００１４】
上記の技術案の改善案として、上記の押え板継手のもう一端にねじ穴を備え、雌継手の端部にもねじ穴がある。継手キャッチを空間部に挿入する際、押え板継手のねじ穴は雌継手のねじ穴に一致させるので、押え板継手のねじ穴と雌継手のねじ穴を介してねじで押え板継手と雌継手と雄継手を固定することが可能である。また、分解する際、押え板継手のねじ穴の中のねじを取り外すと、雌継手と雄継手が分離することが可能である。
【００１５】
上記の技術案の改善案として、上記の二つの雌継手の両端にそれぞれ延長部を備え、その延長部には、それぞれのねじ穴があり、雌継手は、延長部のねじ穴を介してねじで屏風とつなぎ、屏風の立ポスト型材の中空部に配置される。
【考案の効果】
【００１６】
本考案は、構成が簡単、且つ部品が少ないため、現場における据付け作業が快速便利である。また、専用の工具を使用する必要も無く、雄継手と雌継手との相互嵌め込み接続にねじ止め接続をプラスする方法によって、高いつなぎ強度と良い安全性とを併せ持つ屏風用ナックルジョイントを提供することが可能である。
【考案を実施するための最良の形態】
【００１７】
以下図１ないし図４を用いて、本考案のより良い実施例を詳細に説明する。
【００１８】
図１ないし図３に示すように、本考案の屏風用ナックルジョイントは、雌継手（１）と、（３）と、雄継手（２）とを備え、雄継手（２）は雌継手（１）と（３）との間に嵌め込むことができる。
【００１９】
上記雌継手（１）、及び雌継手（３）はそれぞれ、内接噛合（１）、及び内接噛合（３）を備え、上記雄継手（２）は両頭継手でありその両側に外側フランジ（２１）、及び外側フランジ（２２）を備え、且つ、その片側には内凹み（２３）を備え、雄継手（２）の外側フランジ（２１）は雌継手（１）の内接噛合部（１１）に組み合わせてつなぎ、雄継手（２）の外側フランジ（２２）は雌継手（３）の内接噛合部（３１）に組み合わせてつなぐ。
【００２０】
図１ないし図４に示すように、本考案の屏風用ナックルジョイントは、押え板継手（４）を備え、上記押え板継手（４）の一端には継手キャッチ（４１）を備え、継手キャッチ（４１）は空間部（５）の中に嵌め込み、空間部（５）は内接噛合（１）の凹み溝と、雄継手（２）の内凹み（２３）とから形成したものである。
【００２１】
上記雄継手（２）にはねじ穴（２４）を備え、雌継手（１）、及び雌継手（３）にそれぞれねじ穴（２４）に対応させることが可能であるねじ穴（１３）、及びねじ穴（３３）を備える。据付け作業時、ねじ穴（２４）、（１３）、（３３）の中にねじを挿入すると、雌継手（１）と雄継手（２）とをつなぐことが可能である。
【００２２】
上記押え板継手（４）のもう一端にねじ穴（４２）を備え、且つ、雌継手（１）、及び雌継手（３）にもそれぞれねじ穴（１２）、及びねじ穴（３２）を備え、継手キャッチ（４１）を空間部（５）の中に挿入する際、ねじ穴（４２）をねじ穴（３２）に合わせ、ねじ穴（４２）とねじ穴（３２）とを通して、押え板継手（４）と雌継手（１）、及び雌継手（３）と雄継手（２）を固定することができる。分解する際、ねじ穴（４２）の中のねじを取り外すと、雌継手（３）と雄継手（２）が簡単に分離することが可能である。
【００２３】
上記雌継手（１）、及び雌継手（３）の両側にそれぞれ延長部を備え、且つ、延長部にねじ穴（１４）、及びねじ穴（３４）を備える。雌継手（１）、及び雌継手（３）はねじ穴（１４）、及びねじ穴（３４）を通して、ねじで屏風とつながれ、屏風の立てポスト型材の中空部に配置される。
【００２４】
本考案は、構成が簡単、且つ部品が少ないため、現場における据付作業が快速便利である。また、専用の工具を使用する必要も無く、雄継手と雌継手との相互嵌め込み接続にねじ止め接続をプラスする方法によって、高いつなぎ強度と良い安全性とを併せ持つ屏風用ナックルジョイントを提供することが可能である。
【図面の簡単な説明】
【００２５】
【図１】本考案の屏風用ナックルジョイントの構成図である。
【図２】本考案構成図のＡ矢視図である。
【図３】本考案構成図のＢ矢視図である。
【図４】本考案の押え板継手の構成図である。
【符号の説明】
【００２６】
１、３            雌継手
２                雄継手
４                押え板継手
５                空間部
１１、３１        内接噛合部
１２、１３、１４、２４、３２、３３、３４、４２
ねじ穴
２１、２２        外側フランジ
２３              内凹み
４１              継手キャッチ
【図１】
0003125228.tif 000003
【図２】
0003125228.tif 000004
【図３】
0003125228.tif 000005
【図４】
0003125228.tif 000006